(57)【特許請求の範囲】
【請求項１】
仮設足場の建枠に着脱される一対のフレーム主材を含むパネル支持フレームと、前記パネル支持フレームに取り付けられるパネル材と、仮設足場の建枠に着脱され前記フレーム主材を水平面に対し所定の角度で支持する一対の方杖材とを備え、前記フレーム主材の先端部に設けたロープ取付け部にロープを取り付けて、前記ロープを緩めたり引っ張ったりすることで開閉できるようにした朝顔装置に用いるロープ取付け取外し装置であって、前記ロープ取付け取外し装置は、前記フレーム主材に沿わせてフレーム主材に仮止め可能な棒状主材と、前記棒状主材の先端部に設けた第２ロープ取付け部と、前記フレーム主材先端部のロープ取付け部に係合させるための係合金具とからなり、前記ロープを前記棒状主材の先端部に設けた第２ロープ取付け部に取り付けた状態で、前記係合金具を前記フレーム主材のロープ取付け部に着脱することで、前記ロープを前記フレーム主材のロープ取付け部に対し、前記棒状主材の係合金具を介して間接的に着脱できるようにしたことを特徴とする朝顔装置の開閉ロープ取付け取外し装置。
【請求項２】
前記棒状主材には、前記フレーム主材の側面に当接するずれ止め部材が設けられていることを特徴とする請求項１記載の朝顔装置の開閉ロープ取付け取外し装置。
【請求項３】
前記棒状主材には、前記パネル支持フレームを構成し前記パネル材を上面から押さえるパネル押さえ枠材に当接する枠材受け部材が設けられていることを特徴とする請求項１または２記載の朝顔装置の開閉ロープ取付け取外し装置。
【発明の詳細な説明】
【技術分野】
【０００１】
本発明は、資材や道具等の落下を防止するために足場に設ける朝顔装置を開閉するために取り付けるロープの取付け取外し装置に関するものである。
【背景技術】
【０００２】
仮設足場用の朝顔装置は、建設現場等において、足場からの材料その他の資材や道具等の落下を防止するために足場の外側に張り出す形状で設置されるもので、上側から吊るすものや下側から支えるもの等がある。
【０００３】
従来の朝顔装置に関する発明として、例えば特許文献１〜３記載の発明がある。
【０００４】
特許文献１〜３に記載されている朝顔装置の場合、朝顔装置のパネル部を取り付けたフレームの先端部にロープ取付け部を設けている。そのロープ取付け部に直接ロープを取り付けて、ロープを足場側から緩めたり引っ張ったりすることによって朝顔装置を開閉する。
【先行技術文献】
【特許文献】
【０００５】
【特許文献１】実用新案登録第２５２７０８９号公報
【特許文献２】特開２００４−０９２１５８号公報
【特許文献３】特開２００８−０３１６６７号公報
【発明の概要】
【発明が解決しようとする課題】
【０００６】
従来、図６のような朝顔装置を開閉する場合、パネル材を備えたパネル支持フレームとパネル支持フレームに接続された方杖材を折り畳んだ状態で、パネル支持フレームの端部と方杖材の端部をそれぞれ建枠に取り付けた後、フレーム主材の先端部に設けたロープ取付け部に予め取り付けておいたロープを足場側から緩めたり引っ張ったりすることによって行なう。
【０００７】
この時、ロープ取付け部にロープを取り付けておく方法としては、フックやカラビナなどの金具にロープを取り付けておいてその金具をロープ取付け部に取り付けたり、ロープ取付け部に直接結んだりする方法を用いていた。
【０００８】
しかし、これらの方法では、朝顔装置を開いている状態でロープを取り外す場合、足場からではロープ取付け部に手が届かないため、ロープを取り外すためにやむを得ず足場から朝顔装置のパネル部に身を乗り出したり、場合によってはパネル部の上に載ったりして、ロープ取付け部に近付いてから、ロープを取り外すしかなく、安全性に欠ける行為である。また、朝顔装置を閉じるために、朝顔装置を開いている状態でロープを取り付ける場合も同様である。
【０００９】
本発明では、上述のような課題の解決を図ったものであり、朝顔装置を開閉するためのロープを足場側から簡単かつ安全に取付け、取外すことのできる朝顔装置の開閉ロープ取付け取外し装置を提供することを目的としている。
【課題を解決するための手段】
【００１０】
本発明に係る朝顔装置の開閉ロープ取付け取外し装置は、仮設足場の建枠に着脱される一対のフレーム主材を含むパネル支持フレームと、パネル支持フレームに取り付けられるパネル材と、仮設足場の建枠に着脱されフレーム主材を水平面に対し所定の角度で支持する一対の方杖材とを備え、フレーム主材の先端部に設けたロープ取付け部にロープを取り付けて、ロープを緩めたり引っ張ったりすることで開閉できるようにした朝顔装置に用いるロープ取付け取外し装置であって、ロープ取付け取外し装置は、フレーム主材に沿わせてフレーム主材に仮止め可能な棒状主材と、棒状主材の先端部に設けた第２ロープ取付け部と、フレーム主材先端部のロープ取付け部に係合させるための係合金具とからなり、ロープを棒状主材の先端部に設けた第２ロープ取付け部に取り付けた状態で、係合金具をフレーム主材のロープ取付け部に着脱することで、ロープをフレーム主材のロープ取付け部に対し、棒状主材の係合金具を介して間接的に着脱できるようにしたことを特徴としている。
【００１１】
本発明は、従来用いられている朝顔装置を仮設足場の建枠に取り付けた後、朝顔装置を開閉するために用いるロープ取付け取外し装置である。
【００１２】
一般的な朝顔装置は、仮設足場の建枠に着脱される一対のフレーム主材とフレーム主材を繋ぐ部材からなるパネル支持フレームと、パネル支持フレームに取り付けられるパネル材と、仮設足場の建枠に着脱されフレーム主材を水平面に対し所定の角度で支持する一対の方杖材とを備えており、フレーム主材の先端部にはロープ取付け部を設けている場合が多い。
【００１３】
本発明の開閉ロープ取付け取外し装置は、フレーム主材に沿わせてフレーム主材に仮止め可能な棒状主材と、棒状主材の先端部にロープを取り付けるための第２ロープ取付け部と、フレーム主材先端部に元々設けてあるロープ取付け部に係合させるための係合金具とから構成されている。
【００１４】
このロープ取付け取外し装置を足場側から朝顔装置に取り付けて、棒状主材の先端部に設けた第２ロープ取付け部に取り付けたロープを緩めたり引っ張ったりすることによって、朝顔装置を開閉させることができる。
【００１５】
なお、ロープ取付け取外し装置の棒状主材をフレーム主材に沿わせて仮止め可能な状態の具体例は、例えばロープ取付け取外し装置の係合金具をフレーム主材先端部のロープ取付け部に係合させた後、第２ロープ取付け部に取り付けたロープを緩めたり引っ張ったりする際に、棒状主材をフレーム主材に沿わせた状態で載置しておくような場合であり、その場合、フレーム主材の端部を持つなどして固定をしなくてもよい。
【００１６】
ロープ取付け取外し装置には、予め棒状主材先端部の第２ロープ取付け部にロープを取り付けておいて、足場側から棒状主材の手元を操作し、係合金具をフレーム主材のロープ取付け部に係合させる。
【００１７】
上述のような構成によって、フレーム主材のロープ取付け部に直接ロープを取り付けるのではなく、ロープをフレーム主材のロープ取付け部に対し、棒状主材の係合金具を介して間接的に着脱できる。従来のように、ロープを取付け取外しするために朝顔装置のパネル部に身を乗り出したり、上に載ったりする必要がなく、足場側から棒状主材を手元で操作することで容易にロープを取付け取外しすることができる。
【００１８】
第２ロープ取付け部にロープを取り付ける方法は、直接結びつける方法やフックやカラビナなどの金具を介して取り付ける方法など、第２ロープ取付け部からロープが取れず安全性に問題がなければよく、第２ロープ取付け部の形状もロープが外れない形状であればよい。
【００１９】
棒状主材に設ける係合金具の形状は、図３、図４で示したＬ字型の他に、Ｃ字型など、元々フレーム主材に設けられているロープ取付け部に係合する形状であればよく、材質も耐久性に問題がなければどのようなものでもよい。
【００２０】
本発明の棒状主材には、フレーム主材の側面に当接するずれ止め部材を設けるとよい。
【００２１】
ロープ取付け部に係合金具を係合した後、棒状主材をフレーム主材に沿わせた状態で載置し、第２ロープ取付け部に取り付けたロープを緩めたり引っ張ったりする際に、開閉ロープ取付け取外し装置がずれてしまったり、外れてしまったりしないために棒状主材にずれ止め部材を設ける。
【００２２】
ずれ止め部材は、フレーム主材の側面に当接することによって開閉ロープ取付け取外し装置が左右にずれない形状のもので、耐久性に問題がなければ形状や材質は問わない。
【００２３】
また、棒状主材には、パネル支持フレームを構成しパネル材を上面から押さえるパネル押さえ枠材に当接する枠材受け部材も設けるとよい。
【００２４】
従来の朝顔装置には、パネル支持フレームを構成しパネル材を上面から押さえるパネル押さえ枠材（図２（ｂ）参照）を設けている場合が多い。そのパネル押さえ枠材に当接するような形状の枠材受け部材を棒状主材に設けることによって、開閉ロープ取付け取外し装置が上下にずれたり、外れたりしないような形状のもので、耐久性に問題がなければ材質も問わない。
【００２５】
開閉ロープ取付け取外し装置の棒状主材にずれ止め部材や枠材受け部材を設けることによって、開閉ロープ取付け取外し装置に取り付けたロープを操作しても、開閉ロープ取付け取外し装置がずれてしまわないように安全性を高めている。
【発明の効果】
【００２６】
本発明は、以上のような構成からなるので、次のような効果が得られる。
【００２７】
(１) 朝顔装置を開閉するためのロープをフレーム主材のロープ取付け部に対し、ロープ取付け取外し装置の棒状主材の係合金具を介して間接的に着脱する構成であるため、足場側から棒状主材を手元で操作することで容易にロープを取付け取外しすることができる。
【００２８】
(２) 足場側から容易にロープを取付け取外しすることができるため、方杖で朝顔装置の角度を固定したあと、順次、他の朝顔装置の開閉に用いることができ、最低一組のロープがあれば多数の朝顔装置の開閉を行うことができる。
【００２９】
(３) ロープ取付け取外し装置にの棒状主材にずれ止め部材や枠材受け部材を設けることによって、開閉ロープ取付け取外し装置がずれるといったことが防げ、安全性が高い。
【図面の簡単な説明】
【００３０】
【図１】本発明に係る朝顔装置の開閉ロープ取付け取外し装置の一実施形態を朝顔装置に取り付けた場合を示した斜視図である。
【図２】図１の実施形態において、（ａ）は朝顔装置の開閉ロープ取付け取外し装置に設けた係合金具と朝顔装置のロープ取付け部との係合部分、（ｂ）は朝顔装置の開閉ロープ取付け取外し装置に設けたずれ止め部材、枠材受け部材と朝顔装置の当接部分を拡大して示した概略斜視図である。
【図３】図１の実施形態における開閉ロープ取付け取外し装置の一実施形態を示したものであり、（ａ）は平面図、（ｂ）は側面図、（ｃ）は開閉ロープ取付け取外し装置の先端部を拡大した平面図、（ｄ）は開閉ロープ取付け取外し装置の先端部を拡大した側面図である。
【図４】本発明に係る朝顔装置の開閉ロープ取付け取外し装置の他の実施形態を示したものであり、（ａ）は側面図、（ｂ）は平面図、（ｃ）は開閉ロープ取付け取外し装置の先端部を拡大した側面図、（ｄ）は開閉ロープ取付け取外し装置の先端部を拡大した平面図である。
【図５】朝顔装置の開閉ロープを朝顔装置に取付けた場合の従来例（向かって右）と本発明（向かって左）を比較した平面図である。
【図６】朝顔装置に開閉ロープを取付けるための従来例を示した斜視図である。
【発明を実施するための形態】
【００３１】
以下、本発明を添付した図面に基づいて説明する。なお、本発明は以下に示される実施形態に限定されるものではない。
【００３２】
図１は、本発明に係る朝顔装置の開閉ロープ取付け取外し装置１の一実施形態を朝顔装置２１に取り付けた場合の斜視図であり、図２は図１の実施形態における拡大図である。
【００３３】
図２（ａ）は、開閉ロープ取付け取外し装置１の先端部に設けた係合金具４がフレーム主材２２の先端部にあるロープ取付け部２６に係合している部分を示している。図２（ｂ）は、開閉ロープ取付け取外し装置１の中間部に設けたずれ止め部材５がフレーム主材２２の内側に当接し、枠材受け部材６がパネル押さえ枠材２８に当接する部分を示している。
【００３４】
朝顔装置２１は、一対のフレーム主材２２とフレーム主材２２どうしを繋ぐ部材でパネル支持フレーム２３を構成し、パネル支持フレーム２３にパネル材２４を取り付けている。
【００３５】
フレーム主材２２の下方には方杖材２５を設けており、フレーム主材２２の下面に方杖材２５を接続し、フレーム主材２２を下方から所定の角度で支持する。
【００３６】
フレーム主材２２と方杖材２５の端部には、仮設足場の建枠に着脱するための金具主材受け金具２２ａ、方杖受け金具２５ａを設けている。
【００３７】
図３、図４に、本発明に係る朝顔装置の開閉ロープ取付け取外し装置１の一実施形態を平面図で示した。図３（ａ）（ｂ）、図４（ａ）（ｂ）は、開閉ロープ取付け取外し装置１全体を示し、図３（ｃ）（ｄ）、図４（ｃ）（ｄ）は、開閉ロープ取付け取外し装置１の先端部を示した拡大図である。
【００３８】
開閉ロープ取付け取外し装置１には、棒状主材２の先端部に第２ロープ取付け部３と係合金具４を設け、棒状主材２の中間部にずれ止め部材５と枠材受け部材６を設ける。
【００３９】
棒状主材２は、開閉ロープ取付け取外し装置１を仮設足場で作業する際に手元で操作できるように、棒状でフレーム主材２２と同程度の長さであるのが好ましい。
【００４０】
第２ロープ取付け部３は、朝顔装置１を開閉するためのロープ２７を予め取り付けておく部分である。図３は棒状主材２をアーチ状の金具で挟んでボルトで留めた形状であり、図４はロープを取付ける孔を設けた板状の部材を直接棒状部材２に溶接などで取り付けた形状を例として挙げた。
【００４１】
朝顔装置２１に開閉ロープ取付け取外し装置１を設置する際は、第２ロープ取付け部３にロープ２７を予め取り付けておく。第２ロープ取付け部３にロープを取付ける方法は、フックやカラビナなどの金具を用いる方法や直接結びつける方法など、開閉ロープ取付け取外し装置１の操作中にロープ２７が外れない方法であればよい。
【００４２】
係合金具４は、もともと朝顔装置２１のフレーム主材２２の先端部に備わっているロープ取付け部２６に係合するためのものであり、図３、図４ではＬ字型のものを例として挙げている。この形状であれば、棒状主材２を手元で９０度程度回転させることによって、ロープ取付け部２６に係合金具４を係合させることができる。
【００４３】
係合金具４の形状は、棒状主材２を手元で操作することによって、容易にロープ取付け部２６に係合させることができる形状であればよい（図２（ａ）参照）。
【００４４】
また、棒状主材２と係合金具４において、棒状主材２を操作して係合金具４をロープ取付け部２６に係合した際に、係合金具４と棒状主材２の間にロープ取付け部２６が入るような隙間を設けるとよい（図２（ａ）、図３（ｄ）、図４（ｄ）参照）。
【００４５】
棒状主材２は、係合金具４のＬ字型の２辺に接するようにＬ字型の隅に設けるのではなく、係合金具４のＬ字型の１辺のみに接し、他方の１辺との間にロープ取付け部２６が入る隙間を設け、その隙間にロープ取付け部２６が入るようにすると、係合金具４が外れにくくなり、安全性が高まる。
【００４６】
ロープ取付け取外し装置１の係合金具４をフレーム主材２２先端部のロープ取付け部２６に係合させた後、第２ロープ取付け部３に取り付けたロープ２７を緩めたり引っ張ったりする際に、棒状主材２をフレーム主材２２に沿わせた状態で載置しておいてもよく、その場合、フレーム主材２２の端部を持つなどして固定をしなくてもよい。
【００４７】
ずれ止め部材５は、開閉ロープ取付け取外し装置１を朝顔装置２１に設置した際、左右にずれるのを防ぐために設けた部材である。図３、図４では板状のものを棒状主材２に溶接したものを例として挙げており、開閉ロープ取付け取外し装置１を設置した際、ずれ止め部材５がフレーム主材２２の内側に当接し、左右にずれるのを防ぐ（図２（ｂ）参照）。
【００４８】
枠材受け部材６は、開閉ロープ取付け取外し装置１を朝顔装置２１に設置した際に上下にずれるのを防ぐものである。図３、図４では、下向きのＬ字型のものを例として挙げており、朝顔装置２１のパネル押さえ部材２８に当接するようにした（図２（ｂ）参照）。
【００４９】
以上のような構成の開閉ロープ取付け取外し装置１を朝顔装置２１のフレーム主材２２に沿わせてから、棒状主材２を手元で９０度程度回転させる。この操作によって、Ｌ字型の係合金具４をフレーム主材２２先端部のロープ取付け部２６に係合され、ずれ止め部材５をフレーム主材２２の内側に当接させ、枠材受け部材６をパネル押さえ部材２８に当接させることができる。
【００５０】
このように朝顔装置２１に開閉ロープ取付け取外し装置１を設置した後、第２ロープ取付け部３に取り付けたロープ２７を緩めたり引っ張ったりすることで朝顔装置１を開閉できるようにした。
【００５１】
図５は、朝顔装置２１のロープ２７を従来の方法で取付けた場合（向かって右）と本発明の開閉ロープ取付け取外し装置１を使用した場合（向かって左）を比較した概略図であり、図６は朝顔装置１に従来の方法でロープ２７を取付けた時の斜視図を示した。
【００５２】
従来の方法（図５（向かって右）、図６）では、ロープ２７を取り付けたフック２９を直接ロープ取付け部２６に取り付けている。しかし、この方法では、足場からロープ取付け部２６に手が届かず、足場から朝顔装置１のパネル部に身を乗り出したり、場合によってはパネル部の上に載ったりして、ロープ取付け部２６に近付き、フック２９を取り外す必要があった。
【００５３】
一方、本発明の開閉ロープ取付け取外し装置１を使用した場合（図５（向かって左））、棒状主材２の先端部に設けた第２ロープ取付け部３にロープ２７を予め取り付けておき、棒状主材２を手元で操作して係合金具４をロープ取付け部２６に係合する。
【００５４】
つまり、本発明の開閉ロープ取付け取外し装置１は、朝顔装置２１を開閉するためのロープ２７をフレーム主材２２のロープ取付け部２６に対し、開閉ロープ取付け取外し装置１の棒状主材２の係合金具４を介して間接的に着脱させることができる。
【００５５】
足場側から棒状主材２を手元で操作することができ、容易にロープ２７を取付け取外しすることができるようになる。
【００５６】
また、開閉ロープ取付け取外し装置１の棒状主材２にずれ止め部材５や枠材受け部材６を設けることで、開閉ロープ取付け取外し装置１が上下左右にずれることがなく、安全性が向上する。
【符号の説明】
【００５７】
１…ロープ取付け取外し装置、
２…棒状主材、
３…第２ロープ取付け部、
４…係合金具、
５…ずれ止め部材、
６…枠材受け部材、
２１…朝顔装置、
２２…フレーム主材、２２ａ…主材受け金具、
２３…パネル支持フレーム、
２４…パネル材、
２５…方杖材、２５ａ…方杖受け金具、
２６…ロープ取付け部、
２７…ロープ、
２８…パネル押さえ枠材、
２９…フック（カラビナ）
【図１】
0005643875.tif 000002
【図２】
0005643875.tif 000003
【図３】
0005643875.tif 000004
【図４】
0005643875.tif 000005
【図５】
0005643875.tif 000006
【図６】
0005643875.tif 000007